(57)【要約】      （修正有）【課題】使用する棚の大きさに合わせて個々に製作する必要がなく、保持具のフックがネットに絡んだり垂れ下がることもない、載置物落下防止ネットを提供する。【解決手段】各規格サイズの棚３の幅より僅かに短い幅と使用する棚板５間の高さより僅かに短い高さを有してその辺縁部を枠紐２にて補強したネット１と、ネットの四隅にオス側バックル１０を具備した長さ調節が可能な保持側ベルトを配設して構成し、メス側バックル１２を具備した係止側ベルトをオス側バックルと係合する位置の棚の支柱４に固定し、メス側バックルに対向するオス側バックルを係合すると共にオス側バックルを具備した保持側ベルトの長さを調整して張設する。また、ネットの底辺部両端にあるオス側バックルを具備した保持側ベルトに、半円状の開口部を有したフック２０を回動可能に軸着した固定具を挿着した保持具１９を具備する。【選択図】図３
0003200164.tif 000002
【実用新案登録請求の範囲】
【請求項１】
各規格サイズの棚の幅より僅かに短い幅と使用する棚板間の高さより僅かに短い高さを有してその辺縁部を枠紐にて補強したネットと、該ネットの四隅にオス側バックルを具備した長さ調節が可能な保持側ベルトを配設して構成し、メス側バックルを具備した係止側ベルトを前記オス側バックルと係合する位置の棚の支柱に固定し、前記メス側バックルに対向するオス側バックルを係合すると共に当該オス側バックルを具備した保持側ベルトの長さを調整して張設することを特徴とする、載置物落下防止ネット。
【請求項２】
ネットの下部を捲り上げて保持すべく、前記ネットの底辺部両端にあるオス側バックルを具備した保持側ベルトに、半円状の開口部を有したフックを回動可能に軸着した固定具を挿着して構成した保持具を夫々に具備することを特徴とする、請求項１に記載の載置物落下防止ネット。
【考案の詳細な説明】
【技術分野】
【０００１】  本考案は、地震発生時等において棚に載置したファイルや商品等の物品が当該棚より落下するのを防止するための載置物落下防止ネットに関し、特に使用する棚の大きさに合わせて個々に製作する必要がなく、ネットの下部にある物品の出し入れも容易に行うことができる、載置物落下防止ネットに関するものである。
【背景技術】
【０００２】  従来、オフィスや工場を始めあらゆる場所においてファイルや商品等の物品を木製棚やスチール製棚に載置して整理保管している。【０００３】  地震発生時等において上記棚に載置したファイルや商品等の物品が当該棚より落下するのを防止するための方法として、当該棚自体が転倒するのを防止すべく、棚の支柱や天板をワイヤーや金具等により床や壁等に固定していた。【０００４】  しかしながら、上記方法では大きな地震、特に横揺れが激しい地震の場合、棚自体は床や壁等に固定されて転倒しなくとも、棚板に載置したファイルや商品等の物品が落下する危険性がある。このような危険性を防止すべく、本願出願人による実用新案登録第３１８６３４２号公報の考案の名称「載置物落下防止ネット用押止具」では、複数の上下棚板で形成される載置空間の前面全体にネットを張設して覆う方法と、該ネットの撓みによる落下防止機能の不確実性を補完する、載置物落下防止ネット用押止具について記載した。【０００５】  上記公報において、載置物落下防止ネットの棚板への固定は、棚板に固定用のボルトを螺着すべく穴開け加工やネジ切り加工が必要であるため作業性が劣るという欠点と、載置物落下防止ネットが不要となった際には前記作業で開けた穴が多数残ってしまうという問題点があった。さらに、該載置物落下防止ネットは、底辺部と上辺部をターポリンベルトで補強して構成したものであり、使用する棚の大きさに合わせて製作される少量受注商品となることが多い。このため納期がかかると共に販売価格も高くなるという欠点があった。また、ワンタッチバックルが上辺部にあるため、ネットの下部にある物品の出し入れを行う際には、前記ワンタッチバックルを全て外す必要があり、作業性が劣るという問題点もあった。このような問題点を解決すべく、本願出願人による実用新案登録第３１９５１６２号公報の考案の名称「載置物落下防止ネット」では、使用する棚の大きさに合わせて個々に製作する必要がなく、ネットの下部にある物品の出し入れも容易に行うことができる、載置物落下防止ネットについて記載した。【０００６】
【特許文献１】実用新案登録第３１８６３４２号
【特許文献２】実用新案登録第３１９５１６２号
【考案の開示】
【考案が解決しようとする課題】
【０００７】  上記公報における載置物落下防止ネットにおいては、ネットの下部にある物品の出し入れを容易に行うべく、ネットの下部を捲り上げて保持する保持具をネットに付属させていた。該保持具は、適度な長さを有した紐の両端に金属フック及びナイロンフックを具備して構成したものである。そのため、該紐や金属フックが当該ネットに絡んだ際には作業性が劣ってしまうという問題点が発生し、前記金属フックが向きによっては人の衣類などに引っ掛かる危険性もあり、さらには垂れ下がった状態にあっては美観を損ねてしまうという問題点もあった。【０００８】  本考案は、上記問題点を解決するために成されたものであり、使用する棚の大きさに合わせて個々に製作する必要がなく、ネットの下部にある物品の出し入れを容易に行うための保持具のフックがネットに絡んだり垂れ下がることもない、載置物落下防止ネットを提供することを目的とする。
【課題を解決するための手段】
【０００９】  上記課題を解決するため、本考案の載置物落下防止ネットは、各規格サイズの棚の幅より僅かに短い幅と使用する棚板間の高さより僅かに短い高さを有してその辺縁部を枠紐にて補強したネットと、該ネットの四隅にオス側バックルを具備した長さ調節が可能な保持側ベルトを配設して構成し、メス側バックルを具備した係止側ベルトを前記オス側バックルと係合する位置の棚の支柱に固定し、前記メス側バックルに対向するオス側バックルを係合すると共に当該オス側バックルを具備した保持側ベルトの長さを調整して張設する。また、ネットの下部を捲り上げて保持すべく、前記ネットの底辺部両端にあるオス側バックルを具備した保持側ベルトに、半円状の開口部を有したフックを回動可能に軸着した固定具を挿着して構成した保持具を夫々に具備する。
【考案の効果】
【００１０】  本考案の載置物落下防止ネットを用いれば、使用する棚の大きさに合わせて個々に製作する必要がなく、数種類の規格サイズ品を用意するだけで対応できるため、納期もかからず販売価格も安価になるという効果を奏する。また、ネットの下部にある物品の出し入れを行う際には、ネットの下部にある左右何れかのワンタッチバックルを外すと共にネットを捲り上げ、当該ワンタッチバックルに具備された保持具で容易に保持することができるため、作業性が向上する。さらに前記保持具がワンタッチバックルと一体に具備されるため、ネットに絡んだり垂れ下がることもないという効果も奏する。
【考案を実施するための最良の形態】
【００１１】  本考案を実施するための最良の形態を図を用いて説明する。【００１２】  図１は本考案の載置物落下防止ネットの使用状態を示した図であり、図２は図１におけるＡ部拡大図である。該図に示すように、本考案の載置物落下防止ネットは、各規格サイズの棚３の幅より僅かに短い幅と使用する棚板５間（最上段にあっては天板６と棚板５間）の高さより僅かに短い高さを有してその辺縁部を枠紐２にて補強したネット１と、該ネット１の四隅にオス側バックル１０を具備した長さ調節が可能な保持側ベルト１１を配設して構成し、メス側バックル１２を具備した係止側ベルト１３を前記オス側バックル１０と係合する位置の棚３の支柱４に固定し、前記メス側バックル１２に対向するオス側バックル１０を係合すると共に当該オス側バックル１０を具備した保持側ベルト１１の長さを調整して張設する。【００１３】  上記のように、オス側バックル１０を具備した保持側ベルト１１の長さを調整して張設する構造とすることにより、使用する棚６の幅や高さが多少異なった場合でも、前記保持側ベルト１１の長さを調整したりメス側バックル１２を具備した係止側ベルト１３の支柱４への固定位置を調整することにより対応することができため、使用する棚６の大きさに合わせて個々に製作する必要がなくなる。【００１４】  図４は本考案の載置物落下防止ネットで使用するワンタッチバックルの構成図であり、メス側バックル１２を具備した係止側ベルト１３を棚３の支柱４に固定する方法として、棚板５を固定するための支柱４に予め穿孔されている固定穴７を利用し、ボルト８を前記係止側ベルト１３のハトメ穴１４に挿入して螺着するのが好適である。なお、支柱４に固定穴７が穿孔されていないタイプの棚の場合には、図５の本考案の載置物落下防止ネットで使用する係止具の外形図で示すような係止具１５を使用するのが好適である。該係止具１５は、ベース板１６の中央部にボルト部１７を垂直に固着すると共に当該ベース板１６の裏面に両面テープ１８を貼着して構成し、前記係止側ベルト１３のハトメ穴１４を当該ボルト部１７に挿入してナット締めを行うことにより固定でき、支柱４への穴開け加工やネジ切り加工が不要となる。【００１５】  図６は本考案の載置物落下防止ネットで使用する保持具の外形図である。また、図７は図６におけるＡ−Ａ断面図であり、図８は図６におけるフック後端部の構造図である。該図に示すように、ネット１の下部を捲り上げて保持すべく、前記ネット１の底辺部両端にあるオス側バックル１０を具備した保持側ベルト１１に、半円状の開口部を有したフック２０を回動可能に軸着した固定具２１を挿着して構成した保持具１９を夫々に具備する。前記フック２０において半円状の開口部と反対側後端部の直線状の軸２０ａの先端は、ラッチ２０ｂとストッパー２０ｄを具備したスリット２０ｃが削成され、固定具２１に穿孔された軸穴２２内を回動可能に軸着される。使用時は、捲り上げる側のワンタッチバックル９を外してネット１を捲り上げ、当該ワンタッチバックル９のオス側バックル１０の保持側ベルト１１に具備された保持具１９のフック２０を、ネット１の上部の任意の位置に掛けて保持する。【００１６】  図３は図１においてネットの右下部を捲り上げて保持具にて保持した状態図である。該図において、ネット１の下部の右側にある物品２３の出し入れを行う際には、ネット１の下部の右側にあるワンタッチバックル９を外し、当該ワンタッチバックル９のオス側バックル１０の保持側ベルト１１に具備された保持具１９を用いてネット１を捲り上げて保持する。このため、ネット１の下部の右側にある物品２３の出し入れが容易に行うことができ、作業性が向上することになる。さらに前記保持具１９がワンタッチバックル９と一体に具備されるため、ネット１に絡んだり垂れ下がることもない。【００１７】  なお、上記にて説明した載置物落下防止ネットで使用する係止具１５や保持具１９は図示したものに限定するものではなく、さらにワンタッチバックル９のオス側バックル１０とメス側バックル１２の配置も限定するものではなく、同等の機能を得られるものは全て本考案に包含するものである。
【図面の簡単な説明】
【００１８】
【図１】本考案の載置物落下防止ネットの使用状態を示した図である。
【図２】図１におけるＡ部拡大図である。
【図３】図１においてネットの右下部を捲り上げて保持具にて保持した状態図である。
【図４】本考案の載置物落下防止ネットで使用するワンタッチバックルの構成図である。
【図５】本考案の載置物落下防止ネットで使用する係止具の外形図である。
【図６】本考案の載置物落下防止ネットで使用する保持具の外形図である。
【図７】図６におけるＡ−Ａ断面図である。
【図８】図６におけるフック後端部の構造図である。
【符号の説明】
【００１９】  １  ネット
２  枠紐
３  棚
４  支柱
５  棚板
６  天板
７  固定穴
８  ボルト
９  ワンタッチバックル
１０  オス側バックル
１１  保持側ベルト
１２  メス側バックル
１３  係止側ベルト
１４  ハトメ穴
１５  係止具
１６  ベース板
１７  ボルト部
１８  両面テープ
１９  保持具
２０  フック
２１  固定具
２２  軸穴
２３  物品
【図１】
0003200164.tif 000003
【図２】
0003200164.tif 000004
【図３】
0003200164.tif 000005
【図４】
0003200164.tif 000006
【図５】
0003200164.tif 000007
【図６】
0003200164.tif 000008
【図７】
0003200164.tif 000009
【図８】
0003200164.tif 000010